(57)【要約】      （修正有）【課題】取付精度および取付作業効率をともに向上させることができる表示板用取付具を提供する。【解決手段】取付対象の側方に配置されて上下方向に延びる脚部６０と、表示板Ｓを支持する支持部７０と、取付対象の上端に上方から係合自在な係合部８１を備えた上側アーム８０と、取付対象の下端に下方から係合し、上側アーム８０との間で取付対象を上下方向から挾持する下側アーム５４とを具備する表示板用取付具であって、上側アーム８０は支持部７０を載置して水平に保持する保持水平面８２を備えているとともに脚部６０の上端に一体形成されており、支持部７０は、保持水平面８２に固着された時に、上側アーム８０の係合部８１の上端部と、表示板Ｓの脚Ｓａ、Ｓｂが挿入される表示板保持部７２ａ、７２ｂであって支持部７０の両端部に設けられている表示板保持部の上端部との距離Ｈが所定範囲の値となるように形成されている。【選択図】図１
2010133119.tif 000002
【特許請求の範囲】
【請求項１】
取付対象の側方に配置されて上下方向に延びる脚部と、
前記脚部の上端部に装着されて表示板を支持する支持部と、
前記取付対象の上端に上方から係合自在な係合部を備えた上側アームと、
前記脚部の下部に挿着され、前記脚部に沿って上下方向に移動自在で、前記取付対象の下端に下方から係合し、前記上側アームとの間で前記取付対象を上下方向から挾持する下側アームとを具備する表示板用取付具であって、
前記上側アームは前記支持部を載置して水平に保持する保持水平面を備えているとともに前記脚部の上端に一体形成されており、
前記支持部は、前記保持水平面に固着された時に、前記上側アームの係合部の上端部と、前記表示板の脚が挿入される表示板保持部であって前記支持部の両端部に設けられている表示板保持部の上端部との距離が所定範囲の値となるように形成されていることを特徴とする表示板用取付具。
【発明の詳細な説明】
【技術分野】
【０００１】
本発明は、表示板用取付具に係り、特に、道路表示等として仮設される工事用看板等の表示板をガードレールまたはガードバー等の取付対象に取付けて掲示し、表示板が風等により取付対象から離脱することを防止する表示板用取付具に関する。
【背景技術】
【０００２】
一般に、この種の表示板用取付具は、長尺な脚部の上下部にそれぞれ取り付けた上側アームと下側アームとによって取付対象のガードレール等を上下から挟んで当該脚部を取付対象に固着し、脚部の上端部に支持部をもって表示板を固定するように形成されている。
【０００３】
本出願人は、強風下においても、上側アームが風により取付対象から外れることを確実に防止し、十分な安全性を確保することのできる表示板用取付具を提案している（特許文献１参照）。
【０００４】
この特許文献１に開示されている表示板用取付具は、図４および図５に示すように、取付対象Ｇの側方に配置されて上下方向に延びる脚部１０と、前記脚部１０の上端部に設けられ、表示板Ｓを支持する支持部５２と、前記脚部１０に対し、前記取付対象Ｇへ接近する方向および前記取付対象Ｇから離間する方向への移動を拘束し、上下移動を移動自在および拘束自在とした移動規制手段３０と、前記移動規制手段３０に配置され、前記取付対象Ｇの上端に上方から係合自在な上側アーム２０と、前記脚部１０の下部に挿着され、前記脚部１０に沿って上下方向に移動自在で、前記取付対象１０の下端に下方から係合し、前記上側アーム２０との間で前記取付対象Ｇを上下方向から挾持する下側アーム５４とにより形成されている。
【０００５】
このように特許文献１に開示されている表示板用取付具においては、表示板Ｓを左右両端の下端部から下方に突出形成されている脚Ｓａ、Ｓｂを支持部５２の左右両端部の角筒部５２ａ、５２ｂに挿入させて直立状態に支持するとともに、上側アーム２０および下側アーム５４により取付対象Ｇの上下両端を係合して挾持することにより、表示板用取付具を介して表示板Ｓが取付対象Ｇの所望位置に掲示される。そして、風が吹いて、表示板Ｓを、その厚さ方向のみならず幅方向に付勢した場合には、移動規制手段３０が、上側アーム２０を脚部１０に対し、取付対象Ｇへ接近する方向および取付対象Ｇから離間する方向への移動不能に固定するとともに、上側アーム２０の上下移動を拘束するものである。
【０００６】
【特許文献１】特許第３０７１９８０号公報
【発明の開示】
【発明が解決しようとする課題】
【０００７】
本発明者の長年の研究により、図４および図５に示すような表示板用取付具において、第１に、走行中の車から見る取付対象Ｇに固着されている表示板Ｓの視認性を、小型車から大型車の幅広い車種並びに車と表示板Ｓとの距離が遠距離から近距離までの幅広い距離において、等しく良好なものとするため、第２に、取付対象Ｇに対する表示板Ｓの取付強度を高く維持するために、表示板用取付具の構成の見直しをしたところ、取付対象Ｇの上端部の高さ位置となる上側アーム２０の係合部２３の上端部と支持部５２の上端部との距離Ｈを、表示板Ｓの形状、大きさに応じて過度に低くなく、かつ、過度に高くない所定の高さ範囲（例えば、約１５０〜２５０ｍｍ）に保持するとよいことが判明した。
【０００８】
ところが、図４および図５に示すような表示板用取付具には、上側アーム２０を脚部１０に対して脚部１０の上端からの装着位置を上下に移動調節するように形成されているために、上側アーム２０の係合部２３の上端部と支持部５２の上端部との距離Ｈを所定の高さ範囲にして装着するには、取付対象Ｇに取付ける表示板用取付具毎に現場合わせによって高さ位置を調節する必要があり、取付作業に長時間を要するという問題点があった。更に、脚部１０に対して上側アーム２０および下側アーム５４を別体にして形成しているために、第１に、両アーム２０、５４による取付対象Ｇを挟持して取付る取付強度を更に強くするためには構造上不可能であり、第２に、構成部品が多くコスト高の一因となっていた。
【０００９】
本発明はこれらの点に鑑みてなされたものであり、構成部品の寸法を予め設定しておいて、当該構成部品を組立てることのみにより、上側アームの係合部の上端部と支持部の上端部との距離を自動的に所定範囲の値に保持して表示板用取付具を取付対象に取付ることができ、取付精度および取付作業効率をともに向上させることができ、また、構成を簡単にしてコストの低廉化を図ることができるとともに取付強度を大きく向上させることのできる表示板用取付具を提供することを目的とする。
【課題を解決するための手段】
【００１０】
前述した目的を達成するため、本発明の表示板用取付具は、取付対象の側方に配置されて上下方向に延びる脚部と、前記脚部の上端部に装着されて表示板を支持する支持部と、前記取付対象の上端に上方から係合自在な係合部を備えた上側アームと、前記脚部の下部に挿着され、前記脚部に沿って上下方向に移動自在で、前記取付対象の下端に下方から係合し、前記上側アームとの間で前記取付対象を上下方向から挾持する下側アームとを具備する表示板用取付具であって、前記上側アームは前記支持部を載置して水平に保持する保持水平面を備えているとともに前記脚部の上端に一体形成されており、前記支持部は、前記保持水平面に緊締具によって固着された時に、前記上側アームの係合部の上端部と、前記表示板の脚が挿入される表示板保持部であって前記支持部の両端部に設けられている表示板保持部の上端部との距離が所定範囲の値となるように形成されていることを特徴とする。
【００１１】
このように本発明によれば、構成部品の寸法を予め設定してあるので、当該構成部品を組立てることのみにより、上側アームの係合部の上端部と支持部の上端部との距離を自動的に所定範囲の値に保持して表示板用取付具を取付対象に取付ることができ、取付精度および取付作業効率をともに向上させることができる。また、従来別体であった脚部と上側アームとを一体に形成したために、構成を簡単にしてコストの低廉化を図ることができるとともに取付強度を大きく向上させることができる。
【発明の効果】
【００１２】
このように本発明の表示板用取付具は構成され、作用するものであるから、構成部品を組立てることのみにより、上側アームの係合部の上端部と支持部の上端部との距離を自動的に所定範囲の値に保持して表示板用取付具を取付対象に取付ることができ、取付精度および取付作業効率をともに向上させることができ、また、構成を簡単にしてコストの低廉化を図ることができるとともに取付強度を大きく向上させることができる等の優れた効果を奏する。
【発明を実施するための最良の形態】
【００１３】
以下、本発明の実施形態を図１から図３により説明する。
【００１４】
図１は本発明の一実施形態の表示板用取付具の正面図、図２は本発明の表示板用取付具の取付状態を示す分解斜視図である。
【００１５】
なお、図中、従来例と同一符号および同一記号は、従来例の構成部分と同一または相当部分を示すものであり、ここでは、重複する説明を省略する。
アーム５４の構成は、図４および図５に示す従来技術と同一である。
【００１６】
本実施形態の表示板用取付具においては、取付対象Ｇの側方に配置されて上下方向に延びる脚部６０と、この脚部６０の上端部に装着されて表示板Ｓを支持する支持部７０と、取付対象Ｇの上端に上方から係合自在な上側アーム８０と、脚部６０の下部に挿着される下側アーム５４とを備えている。
【００１７】
更に説明すると、脚部６０は、取付対象Ｇの一側方に上下方向に延びるよう配置されるものであり、四角筒状をなす上部６１と雄螺子を周囲に螺刻した下部６２とにより形成されている。この上部６１の形状は四角筒状以外の形状でもよい。
【００１８】
上側アーム８０は、取付対象Ｇに上側より係合する係合部８１と、支持部７０を載置して水平に保持する保持水平面８２とを備えているとともに、脚部６０の上部６１の上端部に溶接により一体形成されている。本実施形態の上側アーム８０は、２つの金属板材製の上板材８３と下板材８４とを組合わせて、各接合部を溶接して形成されている。一方の上板材８３は、基端部を脚部６０の四角筒状をしている上部６１の上端面に溶接されるとともに先端部を取付対象Ｇ側に張出すようにされた水平部８３ａと、この水平部８３ａの先端部から先方斜め下方に傾斜するように折り曲げて連続形成された傾斜部８３ｂとによって形成されている。この上板部８３の水平部８３ａが前記保持水平面８２を形成し、傾斜部８３ｂが下方に開放する略Ｖ字形の係合部８１の一部を形成している。他方の下板材８４は、水平部８４ａと立上がり部８４ｂとからなるＬ字形に折り曲げ形成されている。その水平部８４ａの基端部が、四角筒状に形成されている上部６１の取付対象Ｇ側の側面部分に溶接されている。この水平部８４ａの先端部から立上げ形成されている立上がり部８４ｂの上端部が、上板材８３の水平部８３ａと傾斜部８３ｂとの連接部の下面に溶接されている。この下板材８４の立上がり部８４ｂと上板材８３の傾斜部８３ｂとにより略Ｖ字形の係合部８１が形成される。上板材８３の水平部８３ａによって形成されている保持水平面８２のほぼ中央部には、保持水平面８２を上向きに貫通した固着用ボルト８５が溶接によって固着されている。この固着用ボルト８５は支持部７０を保持水平面８２に緊締する緊締具の一部となる。上側アーム８０としては、係合部８１と保持水平面８２とを備えていて脚部６０に予め一体形成できるものであれば、本実施形態の形状と異なる形状に必要に応じて変更してもよい。
【００１９】
支持部７０は、保持水平面８２に緊締具（８５）によって固着される四角筒状の水平部材７１と、この水平部７１両端部に設けられていて表示板Ｓの脚Ｓａ、Ｓｂを挿入させて支持する四角筒状の表示板保持部７２ａ、７２ｂとを備えている。この支持部７０の上端部となる表示板保持部７２ａ、７２ｂの上端部の位置が、水平部７０が保持水平面８２に緊締具（８５）によって固着された時に、上側アーム８０の係合部８１の上端部との間に形成される距離Ｈが所定範囲の値となるようにして、支持部７０の各部の寸法が設定されている。この距離Ｈの値は約１５０ｍｍ〜２５０ｍｍとするとよい。支持部７０の水平部材７１には固着用ボルト８５を貫通させる貫通孔７３が水平部材７１の長手方向の複数箇所に穿設されている。なお、支持部７０の表示板保持部７２ａ、７２ｂと表示板Ｓの脚部Ｓａ、Ｓｂとの形状は、表示板保持部７２ａ、７２ｂを四角柱状とし、脚部Ｓａ、Ｓｂを四角筒状としてもよい。
【００２０】
なお、従来例と同様に、係合部８１の内面にはゴム等の弾性材からなるクッション材８６が貼着されている。
【００２１】
次に、上記のように構成された本実施形態の表示板用取付具の作用を説明する。
【００２２】
本実施形態の表示板用取付具は、従来例の表示板用取付具と同様、所望内容の表示板Ｓを掲示するために、ガードレール等の取付対象Ｇの所望位置に取付けられる。
【００２３】
この場合、取付対象Ｇの鉛直方向の幅に合わせて、下側アーム５４を上側アーム８０から離間させておいく。続いて、上側アーム８０の係合部８１を取付対象Ｇの上端に係合した状態で、下側アーム５４のナット５４ｅを締上げて摺動部５４ａを脚部６０の下部６２に沿って上方に移動させ、係合部５４ｃを取付対象Ｇの下端に圧接係合するとともに、ロックナット５４ｆを締上げてナット５４ｅの緩みを防止する。これにより、前記上側アーム８０と下側アーム５４との間で取付対象Ｇを上下方向から挾持して、表示板用取付具を取付対象Ｇの所望位置に固定する。
【００２４】
次に、支持部７０の水平部材７１に穿設されている１箇所の貫通孔７３を上側アーム８０の保持水平面８２に立設されている固着用ボルト８５に貫通させて、水平部材７１を保持水平面８２上に載置させ、表示板Ｓの取付対象Ｇに対する取付角度に合わせて水平部材７１の位置決めを行い、更に固着用ボルト８５に図示しないナットを緊締することにより支持部７０を本実施形態の表示板用取付具の所望位置に固定する。
【００２５】
続いて、所望の内容を表示する表示板Ｓの脚Ｓａ、Ｓｂを支持部７０の表示板保持部７２ａ、７２ｂに挿入させて固定することにより、表示板Ｓの掲示が完了する。
【００２６】
本実施形態においては、表示板用取付具を形成する脚部６０と上側アーム８０とを予め溶接によって一体形成しており、更に当該上側アーム８０の係合部８１の上端と、支持部７０の両端部に設けられている表示板保持部７２ａ、７２ｂの上端部との距離Ｈを所定範囲の値となるように予め設定して形成しているので、本実施形態の表示板用取付具を単に組立てるのみにより、前記距離Ｈを自動的に所定範囲の値に保持して表示板用取付具を取付対象Ｇに取付ることができる。更に、取付精度および取付作業効率をともに向上させることができる。更に、脚部６０と上側アーム８０とを予め溶接によって一体形成することにより、全体構成を簡単にしてコストの低廉化を図ることができるとともに、取付強度を従来例の約２倍程度と大きく向上させることができる。この取付強度が向上されたことにより、従来より面積の大きい教示板を安全性を確保して保持することができる。
【００２７】
本実施形態においては、上側アーム８０の上板材８３と下板材８４との連結位置を傾斜部８３ｂの途中位置に移動させたものである。これにより取付対象Ｇと脚部６０または固着用ボルト８５との距離を、表示板Ｓの設置目的に応じて変更することができる。
【００２８】
なお、本発明は前記各実施形態に限定されるものではなく、目的に応じて種々に変更可能である。
【００２９】
例えば、上側アーム６０の保持水平面８２に対する支持部７０を固着する緊締具として用いている固着用ボルト８５は、保持水平面８２に予め溶接して固定しておかないで、通常のボルト・ナットとしてもよく、また、ボルト・ナット以外の緊締具を用いてもよい。
【図面の簡単な説明】
【００３０】
【図１】本発明の表示板用取付具の１実施形態を示す正面図
【図２】図１に示す実施形態の斜視図
【図３】本発明の表示板用取付具の他の実施形態を示す正面図
【図４】従来の表示板用取付具の１例を示す正面図
【図５】図４の従来例を示す斜視図
【符号の説明】
【００３１】
５４  下側アーム
６０  脚部
７０  支持部
７２ａ、７２ｂ  表示板保持部
８０  上側アーム
８１  係合部
８２  保持水平面
【図１】
2010133119.tif 000003
【図２】
2010133119.tif 000004
【図３】
2010133119.tif 000005
【図４】
2010133119.tif 000006
【図５】
2010133119.tif 000007